(57)【要約】【課題】１台で幅広い投射距離に対応可能な投射型表示装置を提供すること。【解決手段】本投射型表示装置１０は、表示画像を光学系３０を介して投射する投射型表示装置であって、複数の異なる焦点距離または投射距離毎に用意されたレンズ群４０，５０、６０と、光路上に配置するレンズ群を変更するレンズ変更制御を行うレンズ変更制御部８０と、を含む。【選択図】図１
2008216632.tif 000002
【特許請求の範囲】
【請求項１】
表示画像を光学系を介して投射する投射型表示装置であって、
複数の異なる焦点距離または投射距離毎に用意されたレンズ群と、
光路上に配置するレンズ群を変更するレンズ変更制御を行うレンズ変更制御部と、
を含むことを特徴とする投射型表示装置。
【請求項２】
請求項１において、
前記複数のレンズ群は、レンズ群単位で一体化して移動するように構成され、
前記レンズ変更制御部は、
レンズ群単位で回転またはスライドさせて、光路上に配置するレンズ群を変更することを特徴とする投射型表示装置。
【請求項３】
請求項１乃至２のいずれかにおいて、
投影面までの投射距離を検出する投射距離検出手段をさらに含み、
前記レンズ変更制御部は、
検出された投射距離に基づき光路上に配置するレンズ群を決定し、決定されたレンズ群が光路上に配置されるようにレンズ変更制御を行うことを特徴とする投射型表示装置。
【請求項４】
請求項１乃至３のいずれかにおいて、
焦点距離または投射距離に関する指示入力を受け付ける受け付け手段をさらに含み、
前記レンズ変更制御部は、
焦点距離に関する指示入力に基づき、光路上に配置するレンズ群を決定し、決定されたレンズ群が光路上に配置されるようにレンズ変更制御を行うことを特徴とする投射型表示装置。
【請求項５】
焦点距離または投射距離に応じて用意された複数のレンズ群を含む光学系を有する投射型表示装置を用いた表示方法であって、
使用するレンズ群を特定するためのレンズ群特定情報を取得するステップと、
レンズ群特定情報に基づき光路上に配置するレンズ群を決定し、決定されたレンズ群が光路上に配置されるようにレンズ変更制御を行うステップと、
表示画像を光路上に配置されたレンズ群を含む光学系を介して投射するステップと、
を含むことを特徴とする表示方法。
【発明の詳細な説明】
【技術分野】
【０００１】
本発明は、投射型表示装置及び表示方法に関する。
【背景技術】
【０００２】
従来より、光源から出射された光束を光学的に処理して光学像を形成し、投写レンズにより光学像を拡大投写する投写型表示装置が知られている。このような投写型表示装置は、会議、学会、展示会等のマルチプレゼンテーションに広く利用されているほか、家庭用のテレビ、ＤＶＤ鑑賞等にも利用されている。
【特許文献１】特開２００４−６９９６６号公報
【発明の開示】
【発明が解決しようとする課題】
【０００３】
かかる投写型表示装置は、会議、学会、展示会等のマルチプレゼンテーションのように投射距離の長いものと、家庭でテレビやＤＶＤ鑑賞を行う場合のように投射距離の短いものがあるが、これらは光学系を構成するレンズ群が異なるため、別機種として製造されるのが一般的であった。
【０００４】
従って、投射距離が有る程度以上異なる場合には、それぞれの投射距離に対応した機種の投写型表示装置が必要となるという問題点があった。
【０００５】
本発明は、以上のような問題点に鑑みてなされたものであり、１台で幅広い投射距離に対応可能な投射型表示装置を提供することである。
【課題を解決するための手段】
【０００６】
（１）本発明は、表示画像を光学系を介して投射する投射型表示装置であって、複数の異なる焦点距離または投射距離毎に用意されたレンズ群と、光路上に配置するレンズ群を変更するレンズ変更制御を行うレンズ変更制御部と、を含むことを特徴とする。
【０００７】
投射型表示装置とは、例えばプロジェクタである。
【０００８】
ここでレンズ変更制御の対象となるレンズ群は投射型表示装置の光学系の一部でもよく、例えば光学系のなかで投射時の焦点合わせ使用されるレンズ群でもよい。またレンズ変更制御の対象となるレンズ群の位置は例えば光源に近い所に配置されている場合でもよし、投射口に近い側に配置されている場合でもよい。
【０００９】
レンズ変更制御部は、自動でレンズ変更制御を行う構成でもいし、ユーザーが手動でレンズ変更制御を行う構成でもよい。
【００１０】
光路とは光源から発せられる光の通り道であり、光路上に配置されたレンズによって光を屈折させスクリーン上に拡大映像を投射させる。
【００１１】
レンズ群は焦点距離や投射距離に応じて用意されている。
【００１２】
本発明によれば光路上に配置するレンズ群を焦点距離や投射距離に応じて最適なレンズ群に変更することができるため、焦点距離や投射距離が大幅に異なる場合でも1台で対応可能な投射型表示装置を提供することができる。
【００１３】
（２）本発明の投射型表示装置は、前記複数のレンズ群は、レンズ群単位で一体化して移動するように構成され、前記レンズ変更制御部は、レンズ群単位で回転またはスライドさせて、光路上に配置するレンズ群を変更することを特徴とする。
【００１４】
レンズ群単位で一体化して移動するように構成されるとは、例えばレンズ群単位でユニット化して、ユニット単位で光路上への切り替えが可能な構成とすることである。例えばいずれかのユニットのユニット内のレンズ群の光軸が光路上にくるよう複数のユニットを回転またはスライドするような機構を設けてもよい。
【００１５】
（３）本発明の投射型表示装置は、投影面までの投射距離を検出する投射距離検出手段をさらに含み、前記レンズ変更制御部は、検出された投射距離に基づき光路上に配置するレンズ群を決定し、決定されたレンズ群が光路上に配置されるようにレンズ変更制御を行うことを特徴とする。
【００１６】
投影面までの投射距離は、例えば撮像手段（ＣＣＤカメラ等）が撮像した投影面の画像に基づき検出する構成でもよい。またレーザーポインタとレーザー光反射時間測定手段とを用いて、レーザー光の速度と反射時間から距離を検出する構成でもよい。
【００１７】
本発明によれば投影面までの投射距離を検出して検出結果に応じて、自動的に光路上に配置するレンズ群の変更制御を行うことができる。従ってユーザーの手を煩わせる事無く投射距離に応じた焦点調整が可能な投射型表示装置を提供することができる。
【００１８】
なお投影面の距離検出及び距離に基づくレンズ変更処理は、投射型表示装置の使用開始時に設定モード等を設けて行うようにしてもよい。
【００１９】
（４）本発明の投射型表示装置は、焦点距離または投射距離に関する指示入力を受け付ける受け付け手段をさらに含み、前記レンズ変更制御部は、焦点距離に関する指示入力に基づき、光路上に配置するレンズ群を決定し、決定されたレンズ群が光路上に配置されるようにレンズ変更制御を行うことを特徴とする。
【００２０】
焦点距離または投射距離に関する指示入力とは、焦点距離や投射距離についての選択肢（例えば長焦点、中焦点、短焦点とか、投射距離の長、中、短等）からの選択入力を受け付ける形式でもよいし、焦点距離や投射距離の値を入力する形式でもよい。
【００２１】
なお焦点距離または投射距離に関する指示入力は、投射型表示装置の使用開始時に設定モード等を設けて行うようにしてもよい。
【００２２】
受け付け手段は投射型表示装置本体やリモートコントローラ等の操作部により実現することができる。
【００２３】
本発明によれば、ユーザーは投射距離に関する使用状況に応じて焦点距離または投射距離に関する指示入力を行うことにより、レンズ変更制御を行うことができる。
【００２４】
（５）本発明は、焦点距離または投射距離に応じて用意された複数のレンズ群を含む光学系を有する投射型表示装置を用いた画像表示方法であって、使用するレンズ群を特定するためのレンズ群特定情報を取得するステップと、レンズ群特定情報に基づき光路上に配置するレンズ群を決定し、決定されたレンズ群が光路上に配置されるようにレンズ変更制御を行うステップと、表示画像を光路上に配置されたレンズ群を含む光学系を介して投射するステップと、を含むことを特徴とする表示方法である。
【発明を実施するための最良の形態】
【００２５】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２６】
以下、本発明の実施形態に係る投射型表示装置について、図面を参照して説明する。
【００２７】
図１は、本実施形態に係る投射型表示装置（プロジェクタ）について説明するための図である。
【００２８】
本実施形態に係る投射型表示装置（プロジェクタ）１０は、表示画像を光学系３０を介してスクリーン９０等に投射する投射型表示装置であって、光源２０、光学系３０、レンズ変更制御部８０，投射距離検出部１１０、指示入力受け付け部１２０を含む。
【００２９】
なお、本実施形態に係る投射型表示装置（プロジェクタ）１０は、その他にも図示しない電源部（主電源部やバラスト部）、制御部（投射型表示装置の各種動作の制御や表示する画像の制御を行うプロセッサ等）、その他の投射光学系、冷却部（電源部や光源部を冷却する冷却ファンとその駆動部等）等を含んでもよい。投写光学系は、ランプ等の光源部２０その駆動部、液晶ライトバルブ等の液晶パネルとその制御部、投写レンズやプリズム等で構成された光学系３０を備えており、プロジェクタ１０の外部に備えられたスクリーン９０等に画像の投射表示を行うものである。図示しない液晶パネルは、マトリクス状に形成された複数の画素を備えており、光源から射出した光を、制御部から入力される画像信号に基づいて画素毎に変調することによって画像に応じた光学像を形成し、形成された光学像が投写レンズ３０によってスクリーン９０等に拡大投写される。
【００３０】
一般に投射型表示装置では投射距離に応じて用意された複数のレンズを光路上に光軸に対して垂直に配置することで、焦点のあった画像をスクリーン上に投射するので、投射距離が長い場合と短い場合には使用する投射レンズが異なってくる（焦点距離の異なるレンズを使用する）。
【００３１】
本実施の光学系３０は、複数の異なる焦点距離または投射距離毎に用意されたレンズ群（第１のレンズ群４０、第２のレンズ群５０、第３のレンズ群６０）を含む。レンズ変更制御部８０は、光路上２２に配置するレンズ群４０、５０、６０を変更するレンズ変更制御を行う。
【００３２】
また複数のレンズ群（第１のレンズ群４０、第２のレンズ群５０、第３のレンズ群６０）は、レンズ群単位で一体化して移動するように構成され、レンズ変更制御部８０は、レンズ群単位で回転またはスライドさせて、光路上２２に配置するレンズ群を変更するようにしてもよい。
【００３３】
レンズ群４０、５０、６０は焦点距離や投射距離に応じて用意されている。例えば、例えば焦点距離によって短焦点、中焦点、長焦点の３つに分類し、第１のレンズ群４０として短焦点用のレンズ群、第２のレンズ群５０として中焦点用のレンズ群、第３のレンズ群６０として長焦点用のレンズ群を用意してもよい。また例えば投射距離によって短距離投射（例えば１ｍ以下）、中距離投射（例えば１ｍ〜３ｍ）、長距離投射（例えば３ｍ以上）の３つに分類し、第１のレンズ群４０として短距離投射用のレンズ群、第２のレンズ群５０として中距離投射用のレンズ群、第３のレンズ群６０として長距離投射用のレンズ群を用意してもよい。
【００３４】
レンズ変更制御部８０は、複数のレンズ群（第１のレンズ群４０、第２のレンズ群５０、第３のレンズ群６０）を手動または自動で回転させる機構を有している。
【００３５】
投射距離検出部１１０は、投影距離（スクリーン９０までの距離）を検出し、レンズ変更制御部８０は、検出された投射距離に基づきレンズ変更制御を行うようにしてもよい。ここで投射距離検出部１１０は、例えばカメラ等の撮影手段でスクリーンを撮影して、スクリーン上の投射範囲の大きさや所定の２点の位置等を検出し、投射範囲の大きさや所定の２点の位置等に基づき投射距離を演算して求めるようにしてもよい。
【００３６】
また、レーザー光線等の光をスクリーンに向け投射して反射光を受光するまでの時間を検出し、検出された反射時間に基づき投射距離を演算して求めるようにしてもよい。
【００３７】
指示入力受け付け部１２０は、例えばリモコンや本体に設けられたボタン等により実現され、焦点距離に関する指示入力を受け付ける。例えば、焦点距離についてボタンにより「短距離（例えば１メートル以内）」と「長距離（１メートル以上）」を選択したら、画面上に「短距離（例えば１メートル以内）」と「長距離（１メートル以上）」と表示させ、画面上でカーソルを移動させていずれかを選択して確定させる入力を行うことにより実現してもよい。
【００３８】
図２は、本実施形態に係る投射型表示装置（プロジェクタ）の光学系の一例を示した図である。
【００３９】
光学系は、第１の焦点距離に対応して用意された複数のレンズ２１２−１、２１２−２、２１２−３、・・・２１２−ｎを第１の軸２１４に沿って配置した第１のレンズ群２１０と、第１の焦点距離とは異なる第２の焦点距離に対応して用意された複数のレンズ２２２−１、２２２−２、２２２−３、・・・２２２−ｎを第２の軸２２４に沿って配置した第２のレンズ群２２０と、を含む。そしてレンズ変更制御部は、光路上に配置するレンズ群をレンズ群単位で回転またはスライドさせて移動させるレンズ切り替える制御を行うようにしてもよい。
【００４０】
本実施の形態では、レンズ群単位で切り替えるので制御が容易である。また例えば、レンズ群をユニット化して、手動でユニット単位での位置の切り替えが行えるように構成することにより、ユーザーの手動切り替えを実現することができる。
【００４１】
図３は、本実施の形態のレンズ変更制御の処理の流れを示すフローチャートである。
【００４２】
レンズ変更制御処理は、投射型表示装置の使用開始時にレンズ変更モード等を設けて行うようにしてもよい。
【００４３】
例えばレンズ変更モードになると、投射距離設定部は、例えば撮像手段（ＣＣＤカメラ等）が撮像した投影面の画像やレーザーポインタから発したレーザー光の反射時間等に基づき投射距離を計算する（ステップＳ１０、Ｓ２０）。
【００４４】
次に、レンズ変更制御部は、計算された投射距離に基づき使用するレンズ群を決定し、レンズ群の変更が必要であれば、物理的に使用するレンズ群を変更する制御を行う（ステップＳ３０）
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００４５】
上記実施の形態では、レンズ群の位置を変更することで光路上に配置されるレンズ群を切り替える場合を例に取り説明したが、光軸の位置を変更して光路を変更することで、光路上に配置されるレンズ群を切り替えるようにしてもよい。例えば光源を移動させることにより光軸の位置を移動させてもよいし、光源からの光を反射させるミラーの角度を変更することにより光軸の位置を移動させてもよい。
【００４６】
また、プロジェクタは、液晶パネルを用いたプロジェクタには限定されず、例えば、ＤＭＤ(Digital Micromirror Device)を用いたプロジェクタ等であってもよい。なお、ＤＭＤは、米国テキサス・インスツルメンツ社の商標である。
【図面の簡単な説明】
【００４７】
【図１】本実施形態に係る投射型表示装置について説明するための図。
【図２】本実施形態に係る投射型表示装置の光学系の一例を示した図。
【図３】本実施の形態のレンズ変更制御の処理の流れを示すフローチャート。
【符号の説明】
【００４８】
１０  プロジェクタ、２０  光源、２２  光路、３０  光学系、４０  第１のレンズ群、５０  第２のレンズ群、６０  第３のレンズ群、８０  レンズ変更制御部、９０  スクリーン、１１０  投射距離検出部、１２０  指示入力受け付け部
【図１】
2008216632.tif 000003
【図２】
2008216632.tif 000004
【図３】
2008216632.tif 000005